(57)【要約】【課題】軽く簡単に折畳み収納、持ち運びが出来、一台の読書スタンドで正座から寝転び仰向け姿勢等、どのような姿勢でも読書が出来るスタンドの要望があった。【解決手段】  読書スタンドが９００gと軽く、折り畳み持ち運びが出来、読書スタンドテーブル表面、裏面を使用し、テーブルに本を広げて使用、テーブルに本を伏せて使用する事で、一台の読書スタンドで、正座での読書から、寝転び横向き姿勢、あお向け姿勢等で読書が出来る。  どのような場所へでも持ち込み、一台の読書スタンドで全ての姿勢で読書が可能となり、これからの読書スタンドの主流となる。【選択図】図1
2010046106.tif 000002
【特許請求の範囲】
【請求項１】
半楕円形状に切り取りしている固定台に、取り付けてある折り曲げ部材、支柱固定ロックピン、支柱旋廻部材、湾曲した支柱部からなる、特許請求項1の折畳み読書スタンド。
【請求項２】
支柱を支える固定台の中央を半楕円形状に切り取りした事を特徴とする特許請求項1の折畳み読書スタンド。
【請求項３】
テーブルを支える支柱を湾曲の形状とした事を特徴とする特許請求項1の折畳み読書スタンド。
【請求項４】
支柱下部に、支柱締め付け固定蝶ボルト、支柱ロックピンを設けた事を特徴とする特許請求項1の折畳み読書スタンド。
【請求項５】
支柱を支える、折り曲げ部材内中央に楕円形の支柱締め付け固定蝶ボルト挿入溝を設けた事を特徴とする特許請求項1の折畳み読書スタンド。
【請求項６】
折り曲げ部材内上部一端に支柱固定ロックピン挿入溝を設けた事を特徴とする特許請求項1の折畳み読書スタンド。    
【請求項７】
折り曲げ部材内下部に、支柱旋廻部材ピンを設けた事を特徴とする特許請求項1の折畳み読書スタンド。    
【請求項８】
本を載せるテーブル一端に、透明な板状部材を折り曲げた形状にし、板状一端でページを押さえる事を特徴とする特許請求項2の折畳み読書スタンド。    
【請求項９】
透明な板状部材を折り曲した先端中央にページ押さえる、調整ボルトを設けた事を特徴とする特許請求項2の折畳み読書スタンド。
【発明の詳細な説明】
【技術分野】
【０００１】
寝室のベット、敷き布団で睡眠前に使用する読書スタンドに関する。
【背景技術】
【０００２】
市販されている既存の読書スタンドは、重く大きく嵩張るスタンドで、寝室に使用する据付固定型がほとんどで、一度固定据え付けすると、不使用になった場合、部材ごと解体して保管しなければならなく、解体に手数を必要とする。
【０００３】
ベットの手摺り、背面に取り付け固定して使用する読書スタンドも有る。
【０００４】
これらの読書スタンドは、睡眠前、横たわりあおむけで、読書するタイプのスタンドで使用する場所が寝室と限られている。
【０００５】
又、読書する際、本を仰ぎ見るスタンドで、起きて座椅子に座り又は、正座での本を広げて上から見る事が出来なかった。
【特許文献１】特開2004−066719
【特許文献２】特開2007−289609
【特許文献３】特開2008−173423
【発明の開示】
【発明が解決しようとする課題】
【０００６】
重く、大きく、嵩張る、スタンドで寝室に設置据付型の為、日中他の部屋にスタンドを運んで正座での読書、寝転んでの読書が出来なく、どこへでも持ち運び設置可能で、どのような姿勢も使用できる読書スタンドはなかった。
【０００７】
睡眠前、あお向け等で寝室のベット、敷き布団にも使用できて、日中は、どの部屋にでも軽く簡単に持ち込みが出来、座椅子等に腰掛ても使用できる読書スタンドの要望が多くあった。
【課題を解決するための手段】
【０００８】
何処へでも簡単に持ち運び設置が出来る様に、支柱を中心にテーブル、固定台が折畳みができるようにした読書スタンドである。
【発明の効果】
【０００９】
支柱を湾曲にする事で、本を載せるテーブルの長さを小さく出来、スタンド固定台を半楕円形状に切り取りする事で、寝転び読書する時肩の鎖骨に触れる事無く使いやすくなり、又、テーブル一端に本を開いた際、ページを押さえる金具を設けた事で、テーブルに本を広げて読書、本を伏せて読書、座椅子に腰掛ての読書、あお向けに横たわりでの読書が出来るようになる為、ほとんどの姿勢での読書が一台の読書スタンドで、可能となった。
【発明を実施するための最良の形態】
【００１０】
固定台に折畳み部材を取り付けし、支柱下部に折畳み部材挿入溝を設ける。
【００１１】
支柱下部中央に支柱締め付け固定蝶ボルト、支柱ロックピンを設ける。
【００１２】
固定台中央を半楕円形状に切り取りする。
【００１３】
本を広げて載せる表面テーブル下部２箇所に、ページ押さえ金具を取り付けする。
【００１４】
支柱折畳み、旋廻する為の折り曲げ部材を固定台に設ける。
【実施例１】
【００１５】
支柱を支える固定台の中央を半楕円形に切り取りする図1。
【００１６】
固定台の中央を半円形状に切り取りしても良い。
【００１７】
テーブルを支える支柱を湾曲した形状（17）の支柱とし、支柱下部に溝（19）を設け、折り曲げ部材（5）に差し込み、固定蝶ボルトを締め付け支柱を固定する図１、図１５。
【００１８】
折り曲げ部材（5）に支柱（3）を差し込み支柱を固定するが、同時に支柱固定ロックピン（4）が折り曲げ部材内ロックピン溝（13）挿入挿入する事で支柱の折り曲げが固定される。
【００１９】
テーブルを支える支柱を湾曲した形状とする事で、テーブルがより前に突き出る為、仰向け姿勢で読書する際、肩に支柱が触れる事が無くなる。
【００２０】
支柱下部に、折り曲げ部材（5）に差し込みする溝（19）を設け、支柱下部中心に支柱を固定する蝶ボルト（3）、支柱固定ロックピン（4）を設ける。
【００２１】
支柱固定ロックピン（4）は、支柱下部中心としなくても折り曲げ部材（5）上端のロックピン溝（13）に入る位置に設けても良い。
【００２２】
固定台（1）、端部一端に取り付けしている折り曲げ部材（5）、をL型形状にし、中心部に支柱固定蝶ボルト挿入溝（12）上部に、支柱固定ロックピン挿入溝（13）を設ける図7。
【００２３】
折り曲げ部材（５）は、L型形状としているが、T字型形状としても良い。  
【００２４】
折り曲げ部材（5）中心部に設けている支柱固定蝶ボルト挿入溝（12）は、ボルト外形の太さの幅の溝とし溝の長さは、２センチ前後とする図7。
【００２５】
折り曲げ部材（5）上部一端に深さ１センチ程の支柱固定ロックピン差込挿入溝（13）を設け、溝はロックピンの外形の大きさの溝幅とする図7。
【００２６】
支柱下部に設けてある、ロックピンは、スチール、ステンレス等の丸棒とするが、径３ミリ程のビス、又は、木ネジを用いても良い図15。
【００２７】
折り曲げ部材（5）下部に、支柱旋廻部材ピンである折り曲げ部材締め付け固定旋廻ピンの蝶ボルト（9）を設ける。
【００２８】
支柱旋廻部材ピンでもある折り曲げ部材（5）締め付け固定蝶ボルト（9）は、固定台（1）に折り曲げ部材を固定しながら、折り曲げ部材が適度に旋廻するように締め付け固定する図7、図８、図９図１５。
【００２９】
図7、図８、図９図１５の旋廻ピンに蝶ボルトを使用しているがこれは、旋廻する強さを加減できるように蝶ボルトを使用したもので、適度の力で支柱が旋廻可能であれば、固定用六角ボルト、座金を組み合わせ使用しても良い。
【００３０】
支柱旋廻部材ピンを設ける事により図9のように、支柱が旋廻する事で、読書をしない場合テーブルを外側に旋廻が出来る為、傷害とならない。
【００３１】
ベットマット、敷き布団下に固定台を差し込み読書スタンドを使用した場合睡眠時テーブルを外側に向ける事が出来る為、掛け布団等の障害とならず使いやすくなる図９。
【００３２】
本を載せるテーブル一端に、透明な板状部材を折り曲げた形状にし、板状一端で本のページを押さえる金具（14）としテーブル二箇所に取り付けする。
【００３３】
本の押さえ金具部材（14）は、透明板の板状部材をU字形に曲げ蝶ボルト（15）を用いて、テーブルに取り付けする図11、図12、図13。
【００３４】
本の押さえ金具部材（14）材質は、透明板のアクリル板、塩ビ板、他のプラスチック樹脂等、透明であればどのような材質でも良い。
【００３５】
本の押さえ金具部材（14）を本のページ端部のみを押さえ固定出来るようにする事が出来る部材であれば、必ずしも、透明な材質の部材でなくとも良い。
【００３６】
透明板の板状部材をU字形に曲げ蝶ボルトを用いて、テーブルに取り付けしているのは、めくった本の厚さに合わせ蝶ボルト（15）で押さえ金具部材（14）を締め付け、曲げる事で本のページ押さえる強さを調整できるように用いるものである図12、図13。
【００３７】
押さえ金具部材（14）のページ押さえる端部に、ページ押さえる調整ボルト（16）を設ける図13。
【００３８】
ページ押さえる調整ボルト（16）は3ミリ、又は4ミリの長さ1センチ程のスチール製の鍋ボルトを用いるが、景観上透明なプラスチックボルトを用いても良い図13。
【００３９】
押さえ金具部材（14）で本のページを押さえるが、見出しページなど本のページ数がどちらかに偏りページ数が少なく、押さえ金具部材（14）で押さえ切れない場合は、ページ押さえる調整ボルト（16）を指で回し締め付けしてページを押さえる事が出来る図12。
【００４０】
テーブルに本を伏せてあお向け姿勢で読書する場合は、ページ押さえ金具が本を伏せる際、障害とならないように図10のようにテーブルに沿ってページ押さえ金具を回転させ固定する。
【実施例２】
【００４１】
特許請求項2、本のページ押さえ金具部材（14）を活用した図１６の、ブックスタンド斜視図及び、本を広げた状況斜視図で、机、テーブルに設置して使用する読書スタンドである。
【００４２】
本のページ押さえ金具部材（14）は、透明アクリル板厚さ１mm幅1.8ミリ程の大きさの板を、U型に曲げ、中央に蝶ボルト挿入穴を設ける。
【００４３】
本のページ押さえ金具部材（14）端部一端を5mm程の長さを９０度に曲げる（24）図10、図13。
【００４４】
テーブルに蝶ボルトでページ押さえ金具を取り付けした時、曲げ部が、読書テーブル、一端にかかり、ページ押さえ金具部材（14）が固定される図12、図14。
【００４５】
ページ押さえ金具部材（14）は、塩ビ版、アクリル板を曲げ中央に蝶ボルト挿入穴を設けただけの構造で有る為、極めて安価なページ押さえ金具が出来た。
【００４６】
ページ押さえ金具をテーブルに取り付けする蝶ボルトに、ページ押さえる力の調整機能を合わせ持たせたものでもある。
【００４７】
ブックスタンドは、フレーム（18）背面板（19）ページ押さえ金具取り付け部材（25）から構成されたブックスタンドで、フレームに背面版を差し込み、フレーム下端溝にページ押さえ金具取り付け部材を挿入した構造で有る図１６、図１７。
【００４８】
ページ押さえ金具取り付け部材（25）を、車のハンドルに取り付けする事で、ハンドルを背面板の代わりにして車中で読書が出来る図１８。
【産業上の利用可能性】
【００４９】
従来の読書スタンドは、寝転び読書する際、本を持つ手が疲れる為に横たわり、仰向けでの姿勢で読書をするスタンドであった、このため本を伏せてテーブルに載せ使用していたが、本押さえ金具をテーブルに設ける事で、テーブルに本を広げて座椅子に腰か掛け読書、正座して読書ができるようになる。
【００５０】
上記記述したように、簡単に折畳みが出来る為、日中何処にでも持ち運びが出来、テーブルに本を広げて、座椅子に腰掛けての読書から、テーブルに本を伏せて、座布団枕で寝転び読書、仰向、横向き姿勢での読書、寝室のベット、敷き布団下に固定台を差込み睡眠前の読書、一台の読書スタンドのテーブルの裏表を使用する事で、どのような姿勢でも読書が出来る事が可能と成り、今後読書スタンドの主流となる製品である。
【図面の簡単な説明】
【００５１】
【図１】本発明の読書スタンドに本を伏せて載せ横たわり仰ぎ見る読書スタンド状況図。
【図２】本発明の読書スタンドに本を広げて載せ座椅子に腰掛読書する状況図。
【図３】本発明の読書スタンドに本を広げて載せた部分拡大状況図。
【図４】支柱折畳みする、折り曲げ状況図。
【図５】本発明の読書スタンドを折り曲げ畳んだ収納状況図。
【図６】本発明の読書スタンドを折り曲げ畳んだ状況図。
【図７】折り曲げ部材拡大斜視図。
【図８】支柱を折り曲げた部分拡大図、支柱旋廻拡大状況図。
【図９】支柱旋廻状況図。
【図１０】本発明の読書スタンドの、本のページを押さえる金具の拡大図。
【図１１】ページ押さえ金具を活用した状況部分拡大図。
【図１２】ページお押さえつけ調整固定蝶ボルト状況拡大図。
【図１３】ページ押さえ金具部材構成図。
【図１４】ページ押さえ金具テーブル取り付け状況部分拡大図。
【図１５】支柱に取り付けする、支柱固定蝶ボルト、支柱固定ロックピン拡大図。
【図１６】ブックスタンド斜視図及び、本を広げた状況斜視図。
【図１７】ブックスタンド分解図斜視図、部品図構成斜視図。
【図１８】本押さえ金具を車のハンドルに取り付け活用した状況斜視図。
【符号の説明】
【００５２】
１  固定台
２  支柱
３  支柱締め付け固定蝶ボルト
４  支柱固定ロックピン
５  折り曲げ部材
６  テーブル
７  本
８  座椅子
９  折り曲げ部材締め付け旋廻ピンの蝶ボルト
１０  スペーサー
１１  折り曲げ部材締め付け蝶ボルト挿入鬼ナット
１２  支柱固定蝶ボルト挿入溝
１３  支柱固定ロックピン挿入溝
１４  本ページ押さえ金具
１５  ページお押さえ突け調整固定蝶ボルト
１６  ページ押さえる調整ボルト
１７  湾曲部
１８  楕円形に切り取り部
１９  溝
２０  ブックスタンド
２１  フレーム
２２  ブックスタンド背面板
２３  車のハンドル
２４  曲げ部
２５  ページ押さえ金具取り付け部材
【図１】
2010046106.tif 000003
【図２】
2010046106.tif 000004
【図３】
2010046106.tif 000005
【図４】
2010046106.tif 000006
【図５】
2010046106.tif 000007
【図６】
2010046106.tif 000008
【図７】
2010046106.tif 000009
【図８】
2010046106.tif 000010
【図９】
2010046106.tif 000011
【図１０】
2010046106.tif 000012
【図１１】
2010046106.tif 000013
【図１２】
2010046106.tif 000014
【図１３】
2010046106.tif 000015
【図１４】
2010046106.tif 000016
【図１５】
2010046106.tif 000017
【図１６】
2010046106.tif 000018
【図１７】
2010046106.tif 000019
【図１８】
2010046106.tif 000020